(57)【要約】  本発明の装置は、第１方向に配置され、前記第１方向の接触位置に応じて第１接触信号を発生させる複数個の第１タッチパターンと、前記第１方向と直交する第２方向に配置され、前記第２方向の接触位置に応じて第２接触信号を発生させる複数個の第２タッチパターンを備えるタッチパネルと、前記第１及び第２接触信号により前記接触位置の座標を計算し、時間ごとに前記接触位置の座標を保存するタッチセンサとを備え、前記タッチセンサは、前記接触位置の数が少なくとも２つであり、前記少なくとも２つの接触位置の接触時点の間の時間差が基準値より大きい場合には、以前に保存された接触位置の座標を用いて実際接触位置の座標を検出する第１センシング動作を行い、前記時間差が前記基準値よりも小さいかまたは同じ場合には前記接触位置に応じて可変する前記タッチパターンのインピーダンスを用いて前記実際接触位置の座標を検出する第２センシング動作を行う。
2013502660.tif 000002
【特許請求の範囲】
【請求項１】
第１方向に配置され、前記第１方向の接触位置に応じて第１接触信号を発生させる複数個の第１タッチパターンと、前記第１方向と直交する第２方向に配置され、前記第２方向の接触位置に応じて第２接触信号を発生させる複数個の第２タッチパターンを備えるタッチパネルと、
前記第１及び第２接触信号によって前記接触位置の座標を計算し、時間ごとに前記接触位置の座標を保存するタッチセンサと、を備え、
前記タッチセンサは、前記接触位置の数が少なくとも２つであり、前記少なくとも２つの接触位置の接触時点の間の時間差が基準値よりも大きい場合には、以前に保存された接触位置の座標を用いて実際接触位置の座標を検出する第１センシング動作を行い、前記時間差が前記基準値よりも小さいかまたは同一の場合には前記接触位置に応じて可変する前記タッチパターンのインピーダンスを用いて前記実際接触位置の座標を検出する第２センシング動作を行うことを特徴とする入力装置。
【請求項２】
前記第１タッチパターンのそれぞれは、
前記第２方向に配置された複数個の第１タッチパッドと、
前記複数個の第１タッチパッドのそれぞれを接続する第１接続パッドと、
を備えることを特徴とする請求項１に記載の入力装置。
【請求項３】
前記第２タッチパターンのそれぞれは、
前記第１方向に配置された複数個の第２タッチパッドと
前記複数個の第２タッチパッドのそれぞれを接続する第２接続パッドと、
を備えることを特徴とする請求項２に記載の入力装置。
【請求項４】
前記タッチセンサは、
前記第１タッチ信号が前記第１タッチパターンのうちの1つが接触されたことを示し、前記第２タッチ信号が前記第２タッチパターンのうちの1つが接触されたことを示したら、前記第１タッチ信号に対応する第１座標を計算して保存し、前記第２タッチ信号に対応する第２座標を計算して保存することを特徴とする請求項１に記載の入力装置。
【請求項５】
前記タッチセンサは、
前記第１タッチパターンのうちの1つが接触されたことを示す前記第１タッチ信号及び前記第２タッチパターンのうちの1つが接触されたことを示す前記第２タッチ信号が受信されたときから所定時間が経過した後、前記第１タッチパターンのうちの少なくとも２つが接触されたことを示す前記第１タッチ信号及び前記第２タッチパターンのうちの少なくとも２つが接触されたことを示す前記第２タッチ信号が受信されたら、前記第１タッチ信号に対応する第３座標及び前記第２タッチ信号に対応する第４座標を計算して保存することを特徴とする請求項４に記載の入力装置。
【請求項６】
前記タッチセンサは、
前記第３座標のうちの1つと前記第１座標が同一であって前記第３座標らは互いに異なり、前記第４座標のうちの1つは前記第２座標と同一であり、前記第４座標らが互いに異なると、前記第１センシング動作を行うことを特徴とする請求項５に記載の入力装置。
【請求項７】
前記タッチセンサは、
前記複数個の第１タッチパターンのうちの少なくとも２つの第１タッチパターンが接触されたことを示す第１接触信号及び前記複数個の第２タッチパターンのうちの少なくとも２つの第２タッチパターンが接触されたことを示す第２接触信号が発生した場合、接触された前記少なくとも２つの第１タッチパターン及び接触された前記第１及び第２タッチパターンのうちの少なくとも1つの前記インピーダンスを用いて前記第２センシング動作を行うことを特徴とする請求項１に記載の入力装置。
【請求項８】
前記タッチセンサは、
前記複数個の第１タッチパターンのうちの少なくとも２つの第１タッチパターンが接触されたことを示す第１接触信号及び前記複数個の第２タッチパターンのうちの少なくとも２つの第２タッチパターンが接触されたことを示す第２接触信号が発生した場合、接触された前記少なくとも２つの第２タッチパターンのうちの1つにパルス信号を印加し、接触された前記第１タッチパターンのうちのどの第１タッチパターンを介して前記パルス信号が出力されるか否かを判断することで、前記第２センシング動作を行うことを特徴とする請求項１に記載の入力装置。
【請求項９】
前記タッチセンサは、
前記タッチパネル上に前記実際接触位置を識別する必要がある識別領域を設定し、前記接触位置の座標が前記識別領域内に複数個ある場合に前記第１センシング動作または前記第２センシング動作を行って前記実際接触位置の座標を検出することを特徴とする請求項１に記載の入力装置。
【請求項１０】
前記タッチセンサは、
前記入力装置で実行される応用プログラムが前記実際接触位置の座標を計算する必要がある応用プログラムの場合のみに、前記第１センシング動作または前記第２センシング動作を行って前記実際接触位置の座標を検出することを特徴とする請求項１に記載の入力装置。
【請求項１１】
前記タッチセンサは、
前記複数個の接触位置の座標の回転軸が前記第１方向または前記第２方向と一致すると、前記第２センシング動作を行って前記実際接触位置の座標を検出することを特徴とする請求項１に記載の入力装置。
【請求項１２】
第１方向に配置され、前記第１方向の接触位置に応じて第１接触信号を発生させる複数個の第１タッチパターンと、前記第１方向と直交する第２方向に配置され、前記第２方向の接触位置に応じて第２接触信号を発生させる複数個の第２タッチパターンを備えるタッチパネルと、前記第１接触信号及び前記第２接触信号を入力して接触位置の座標を計算し、時間ごとに前記接触位置の座標を保存するタッチセンサと、を備える入力装置の接触位置座標検出方法において、
前記接触位置の数が少なくとも２つであれば、前記少なくとも２つの接触位置の接触時点の間の時間差が基準値よりも大きいか否かを判断する段階と、
前記判断の結果、前記時間差が前記基準値よりも大きければ、以前に保存された接触位置の座標を用いて実際接触位置の座標を検出する第１センシング段階と、
前記判断の結果、前記時間差が前記基準値よりも小さいかまたは同一であれば、前記接触位置に応じて可変される前記タッチパターンのインピーダンスを用いて前記実際接触位置の座標を検出する第２センシング段階と、
を備えることを特徴とする入力装置の接触位置検出方法。
【請求項１３】
前記時間差が前記基準値よりも大きいか否かを判断する段階は、
前記第１タッチパターンのうちの1つが接触されたことを示す前記第１タッチ信号に対応する第１座標及び前記第２タッチパターンのうちの1つが接触されたことを示す前記第２タッチ信号に対応する第２座標を計算して保存する段階と、
前記第１タッチパターンのうちの1つが接触されたことを示す前記第１タッチ信号及び前記第２タッチパターンのうちの1つが接触されたことを示す前記第２タッチ信号が受信された後、前記第１タッチパターンのうちの少なくとも２つが接触されたことを示す前記第１タッチ信号及び前記第２タッチパターンのうちの少なくとも２つが接触されたことを示す前記第２タッチ信号が受信されるときまでの時間差が前記基準値よりも大きいか否かを判断する段階と、
前記第１タッチパターンのうちの少なくとも２つが接触されたことを示す前記第１タッチ信号に対応する第３座標及び前記第２タッチパターンのうちの少なくとも２つが接触されたことを示す前記第２タッチ信号に対応する第４座標を計算して保存する段階と、
を備えることを特徴とする請求項１２に記載の入力装置の接触位置検出方法。
【請求項１４】
前記第３座標のうちの1つは前記第１座標と同一であって前記第３座標らは互いに異なり、前記第４座標のうちの1つは前記第２座標と同一であり、前記第４座標らが互いに異なると、前記第１センシング段階を行うことを特徴とする請求項１３に記載の入力装置の接触位置検出方法。
【請求項１５】
前記第２センシング段階は、
前記複数個の第１タッチパターンのうちの少なくとも２つの第１タッチパターンが接触されたことを示す第１接触信号及び前記複数個の第２タッチパターンのうちの少なくとも２つの第２タッチパターンが接触されたことを示す第２接触信号が発生した場合、接触された前記第１タッチパターン及び接触された前記第２タッチパターンのうちの少なくとも1つに対し前記接触位置に応じて可変する前記タッチパターンのインピーダンスを用いて前記実際接触位置の座標を検出することを特徴とする請求項１２に記載の入力装置の位置検出方法。
【請求項１６】
前記第２センシング段階は、
前記複数個の第１タッチパターンのうちの少なくとも２つの第１タッチパターンが接触されたことを示す第１接触信号及び前記複数個の第２タッチパターンのうちの少なくとも２つの第２タッチパターンが接触されたことを示す第２接触信号が発生した場合、接触された前記少なくとも２つの第２タッチパターンのうちの1つにパルス信号を出力し、接触された前記少なくとも２つの第１タッチパターンのうちのどの第１タッチパターンに前記パルス信号が出力されるか否かを判断して前記実際接触位置の座標を検出することを特徴とする請求項１２に記載の入力装置の位置検出方法。
【請求項１７】
前記入力装置の接触位置検出方法は、
前記タッチパネル上に、前記実際接触位置を識別する必要がある識別領域を設定する識別領域設定段階をさらに備え、
前記接触位置の座標が前記識別領域内に複数個ある場合に、前記判断段階、前記第１センシング段階、及び前記第２センシング段階を行うことを特徴とする請求項１２に記載の入力装置の接触位置検出方法。
【請求項１８】
前記入力装置の接触位置検出方法は、
前記入力装置で実行される応用プログラムが前記実際接触位置の座標を計算する必要がある応用プログラムであるかを判断する応用プログラム判断段階をさらに備え、
前記応用プログラム判断段階の実行の結果、前記応用プログラムが前記実際接触位置の座標を計算する必要がある応用プログラムの場合、前記判断段階、前記第１センシング段階、及び前記第２センシング段階を行うことを特徴とする請求項１２に記載の入力装置の接触位置検出方法。
【請求項１９】
前記入力装置の接触位置検出方法は、
前記複数個の接触位置の座標の回転軸が前記第１方向または前記第２方向と一致するか否かを判断する回転角判断段階をさらに備え、
前記回転角判断段階の実行の結果、前記回転軸が前記第１方向または前記第２方向と一致すれば、前記第２センシング段階を行うことを特徴とする請求項１２に記載の入力装置の接触位置検出方法。
【発明の詳細な説明】
【技術分野】
【０００１】
本発明は、入力装置に関し、特にタッチパネルを備える入力装置及び入力装置の接触位置検出方法に関する。
【背景技術】
【０００２】
パソコン、携帯送信装置、及びその外の情報処理装置などは、入力装置を用いて様々な機能を実行する。最近、このような入力装置としてタッチパネルを備える入力装置が多く使用されている。
【０００３】
一般にタッチパネルは、ＣＲＴ、ＬＣＤ、ＰＤＰ、ＥＬ（electroluminescence）などのようなディスプレイ装置の表面に設けられて接触による接触位置を検出することができる装置であって、ＩＴＯ（インジウム−錫の複合酸化物）フィルムを用いて製造される。
【０００４】
このようなタッチパネルを備える入力装置は、ユーザがタッチパネル上の特定位置に接触物体（例えば、指やスタイラスペンなど）を接触して多様な情報を画面上に表現することができる。特に、複数個の接触位置を有するマルチタッチを認識することができる入力装置の場合、接触位置の間の距離によってズームイン（zoom in）またはズームアウト（zoom out）動作を行うか、または接触位置の回転角によって表示された情報を回転させるなどの動作を行うことができる。ところが、マルチタッチを認識する場合に、ゴーストパターン（ghost pattern）の存在で接触位置の実際の位置を識別することが困難である場合が発生した。
【発明の概要】
【発明が解決しようとする課題】
【０００５】
本発明の目的は、ゴーストパターンが存在しても実際接触位置を識別することができる入力装置を提供することにある。
【０００６】
本発明の他の目的は、前記目的を達成するための入力装置の接触位置検出方法を提供することにある。
【課題を解決するための手段】
【０００７】
前記目的を達成するための本発明の入力装置は、第１方向に配置され、前記第１方向の接触位置に応じて第１接触信号を発生させる複数個の第１タッチパターンと、前記第１方向と直交する第２方向に配置され、前記第２方向の接触位置に応じて第２接触信号を発生させる複数個の第２タッチパターンを備えるタッチパネルと、前記第１及び第２接触信号により前記接触位置の座標を計算し、時間ごとに前記接触位置の座標を保存するタッチセンサとを備え、前記タッチセンサは、前記接触位置の数が少なくとも２つであり、前記少なくとも２つの接触位置の接触時点の差が基準値よりも大きい場合、以前に保存された接触位置の座標を用いて実際接触位置の座標を検出する第１センシング動作を行うことを特徴とする。
【０００８】
前記目的を達成するための本発明の入力装置の前記第１タッチパターンのそれぞれは、前記第２方向に配置された複数個の第１タッチパッドと、前記複数個の第１タッチパッドのそれぞれを接続する第１接続パッドとを備えることを特徴とし、前記第２タッチパターンのそれぞれは、前記第１方向に配置された複数個の第２タッチパッドと、前記複数個の第２タッチパッドのそれぞれを接続する第２接続パッドとを備えることを特徴とする。
【０００９】
前記目的を達成するための本発明の入力装置の前記タッチセンサは、前記第１タッチ信号が前記第１タッチパターンのうちの1つが接触されたことを示し、前記第２タッチ信号が前記第２タッチパターンのうちの1つが接触されたことを示したら、前記第１タッチ信号に対応する第１座標を計算して保存し、前記第２タッチ信号に対応する第２座標を計算して保存することを特徴とする。
【００１０】
前記目的を達成するための本発明の入力装置の前記タッチセンサは、前記第１タッチパターンのうちの1つが接触されたことを示す前記第１タッチ信号及び前記第２タッチパターンのうちの1つが接触されたことを示す前記第２タッチ信号が受信されたときから所定時間が経過した後、前記第１タッチパターンのうちの少なくとも２つが接触されたことを示す前記第１タッチ信号及び前記第２タッチパターンのうちの少なくとも２つが接触されたことを示す前記第２タッチ信号が受信されると、前記第１タッチ信号に対応する第３座標及び前記第２タッチ信号に対応する第４座標を計算して保存することを特徴とする。
【００１１】
前記目的を達成するための本発明の入力装置の前記タッチセンサは、前記第３座標のうちの1つと前記第１座標が同一であって前記第３座標らは互いに異なり、前記第４座標のうちの1つは前記第２座標と同一であり、前記第４座標らが互いに異なると、前記第１センシング動作を行うことを特徴とする。
【００１２】
前記目的を達成するための本発明の入力装置の前記タッチセンサは、前記タッチパネル上に前記実際接触位置を識別する必要がある識別領域を設定し、前記接触位置の座標が前記識別領域内に複数個ある場合に前記第１センシング動作を行って前記実際接触位置の座標を検出するか、または前記入力装置で実行される応用プログラムが前記実際接触位置の座標を計算する必要がある応用プログラムの場合のみに前記第１センシング動作を行って前記実際接触位置の座標を検出することを特徴とする。
【００１３】
前記目的を達成するための本発明の入力装置の前記タッチセンサは、接触物体が前記タッチパネルの少なくとも２つの接触位置に接触されて前記複数個の第１タッチパターンのうちの２つ以上の第１タッチパターンが接触されたことを示す第１接触信号及び前記複数個の第２タッチパターンのうちの２つ以上の第２タッチパターンが接触されたことを示す第２接触信号が発生された場合、接触された前記２つ以上の第１タッチパターン及び接触された前記２つ以上の第２タッチパターンのうちの少なくとも1つに対し前記接触位置に応じて可変する前記タッチパターンのインピーダンスを用いて前記実際接触位置の座標を検出する第２センシング動作をさらに行うことを特徴とする。
【００１４】
前記目的を達成するための本発明の入力装置の前記タッチセンサは、接触位置が少なくとも２つであり、前記少なくとも２つの接触位置の接触時点の間の時間差が前記基準値よりも小さい場合に前記第２センシング動作を行うことを特徴とする。
【００１５】
前記目的を達成するための本発明の入力装置の前記タッチセンサは、前記タッチパネル上に前記実際接触位置を識別する必要がある識別領域を設定し、前記接触位置の座標が前記識別領域内に複数個ある場合に前記第２センシング動作を行って前記実際接触位置の座標を検出するか、前記入力装置で実行される応用プログラムが前記実際接触位置の座標を計算する必要がある応用プログラムの場合のみに前記第２センシング動作を行って前記実際接触位置の座標を検出するか、または前記タッチパネルの1つの接触位置に接触され、前記所定時間前に前記タッチパネルの少なくとも２つ以上の接触位置に接触された場合に、前記第２センシング動作を行って前記実際接触位置の座標を検出することを特徴とする。
【００１６】
前記目的を達成するための本発明の入力装置の前記タッチセンサは、前記複数個の接触位置の座標の回転軸が前記第１方向または前記第２方向と一致すると、前記第２センシング動作を行って前記実際接触位置の座標を検出することを特徴とする。
【００１７】
前記他の目的を達成するための本発明の入力装置の接触位置検出方法は、第１方向に配置され、前記第１方向の接触位置に応じて第１接触信号を発生させる複数個の第１タッチパターンと、前記第１方向と直交する第２方向に配置され、前記第２方向の接触位置に応じて第２接触信号を発生させる複数個の第２タッチパターンを備えるタッチパネルと、前記第１接触信号及び前記第２接触信号を入力して接触位置の座標を計算し、時間ごとに前記接触位置の座標を保存するタッチセンサとを備える入力装置の接触位置座標検出方法において、前記接触位置の数が少なくとも２つであれば、前記少なくとも２つの接触位置の接触時点の間の時間差が基準値よりも大きいか否かを判断する段階と、前記判断の結果、前記時間差が基準値よりも大きければ、以前に保存された接触位置の座標を用いて実際接触位置の座標を検出する第１センシング動作を行う段階と、を備えることを特徴とする。
【００１８】
前記他の目的を達成するための本発明の入力装置の接触位置検出方法の前記時間差が基準値よりも大きいか否かを判断する段階は、前記第１タッチパターンのうちの1つが接触されたことを示す前記第１タッチ信号に対応する第１座標及び前記第２タッチパターンのうちの1つが接触されたことを示す前記第２タッチ信号に対応する第２座標を計算して保存する段階と、前記第１タッチパターンのうちの1つが接触されたことを示す前記第１タッチ信号及び前記第２タッチパターンのうちの1つが接触されたことを示す前記第２タッチ信号が受信された後、前記第１タッチパターンのうちの少なくとも２つが接触されたことを示す前記第１タッチ信号及び前記第２タッチパターンのうちの少なくとも２つが接触されたことを示す前記第２タッチ信号が受信されるときまでの時間差が前記基準値よりも大きいか否かを判断する段階と、前記第１タッチパターンのうちの少なくとも２つが接触されたことを示す前記第１タッチ信号に対応する第３座標及び前記第２タッチパターンのうちの少なくとも２つが接触されたことを示す前記第２タッチ信号に対応する第４座標を計算して保存する段階と、を備えることを特徴とする。
【００１９】
前記他の目的を達成するための本発明の入力装置の接触位置検出方法は、前記第３座標のうちの1つは前記第１座標と同一であり、前記第３座標らが互いに異なり、前記第４座標のうちの1つは前記第２座標と同一であり、前記第４座標が互いに異なると、前記第１センシング動作を行うことを特徴とする。
【００２０】
前記他の目的を達成するための本発明の入力装置の接触位置検出方法は、前記タッチパネル上に前記実際接触位置を識別する必要がある識別領域を設定する識別領域設定段階をさらに備え、前記接触位置の座標が前記識別領域内に複数個ある場合に前記第１センシング段階を行うことを特徴とする。
【００２１】
前記他の目的を達成するための本発明の入力装置の接触位置検出方法は、前記入力装置で実行される応用プログラムが前記実際接触位置の座標を計算する必要がある応用プログラムであるかを判断する応用プログラム判断段階をさらに備え、前記応用プログラム判断段階を実行した結果、前記応用プログラムが前記実際接触位置の座標を計算する必要がある応用プログラムの場合に、前記第１センシング段階を行うことを特徴とする。
【００２２】
前記他の目的を達成するための本発明の入力装置の接触位置検出方法は、前記タッチパネルの少なくとも２つ以上の接触位置に接触されて前記複数個の第１タッチパターンのうちの２つ以上の第１タッチパターンが接触されたことを示す第１接触信号及び前記複数個の第２タッチパターンのうちの２つ以上の第２タッチパターンが接触されたことを示す第２接触信号が発生された場合、接触された前記２つ以上の第１タッチパターン及び接触された前記２つ以上の第２タッチパターンのうちの少なくとも1つに対し前記接触位置に応じて可変する前記タッチパターンのインピーダンスを用いて前記実際接触位置の座標を検出する第２センシング段階をさらに備えることを特徴とする。
【００２３】
前記他の目的を達成するための本発明の入力装置の接触位置検出方法は、前記時間差が基準値よりも小さい場合に前記第２センシング動作を行うことを特徴とする。
【００２４】
前記他の目的を達成するための本発明の入力装置の接触位置検出方法は、前記タッチパネル上に前記実際接触位置を識別する必要がある識別領域を設定する識別領域設定段階をさらに備え、前記接触位置の座標が前記識別領域内に複数個ある場合に、前記判断段階、前記第１センシング段階、及び前記第２センシング段階を行うことを特徴とする。
【００２５】
前記他の目的を達成するための本発明の入力装置の接触位置検出方法は、前記入力装置で実行される応用プログラムが前記実際接触位置の座標を計算する必要がある応用プログラムであるかを判断する応用プログラム判断段階をさらに備え、前記応用プログラム判断段階を実行した結果、前記応用プログラムが前記実際接触位置の座標を計算する必要がある応用プログラムの場合に、前記判断段階、前記第１センシング段階、及び前記第２センシング段階を行うことを特徴とする。
【００２６】
前記他の目的を達成するための本発明の入力装置の接触位置検出方法は、前記複数個の接触位置の座標の回転軸が前記第１方向または前記第２方向と一致するか否かを判断する回転角判断段階をさらに備え、前記回転角判断段階を実行した結果、前記回転軸が前記第１方向または前記第２方向と一致すると、前記第２センシング段階を行うことを特徴とする。
【発明の効果】
【００２７】
したがって、本発明の入力装置及び入力装置の接触位置検出方法は、マルチタッチを認識する場合に、ゴーストパターンが存在しても実際接触位置の座標をより早く検出することができる。
【図面の簡単な説明】
【００２８】
【図１】本発明の入力装置における実施例の構成を示す図である。
【図２】複数個の接触位置が検知された場合の実際接触位置とゴーストパターン位置を示す図である。
【図３】複数個の接触位置が検知された場合の実際接触位置とゴーストパターン位置を示す図である。
【図４】本発明の入力装置における実施例のうちの抵抗値を測定してゴーストパターンと実際接触位置を識別する実施例の構成を示す図である。
【図５】本発明の入力装置の実施例のうちのキャパシタンス値を測定してゴーストパターンと実際接触位置を識別する実施例の構成を示す図である。
【図６】本発明の入力装置における接触位置検出方法を説明するためのフローチャートである。
【図７】識別領域を設定する一例を説明するための図である。
【図８】さらにゴーストパターンと実際接触位置を識別する必要がある場合の一例を説明するための図である。
【発明を実施するための形態】
【００２９】
以下に添付図面を参照しながら、本発明の入力装置及び入力装置の接触位置検出方法を詳細に説明する。
【００３０】
図１は、本発明の入力装置の一実施例の構成を示すものであり、本発明の入力装置はタッチセンサ部１０及びタッチパネル２０を備えて構成され、タッチパネル２０は複数個の第１タッチパターンｘ１〜ｘ７及び複数個の第２タッチパターンｙ１〜ｙ７を備えて構成される。
【００３１】
次に、図１に示すブロックのそれぞれの機能を説明する。
タッチセンサ部１０は、タッチパネル２０により発生する第１接触信号ｔ１及び第２接触信号ｔ２を受信してタッチパネル２０における接触物体が接触した接触位置の座標を計算する。また、接触位置が複数個の場合、ゴーストパターンと実際接触位置を識別する。ゴーストパターンと実際接触位置を識別する方法については後述する。
【００３２】
図示しないが、タッチセンサ部１０は、タッチパネル２０の第１タッチパターンｘ１〜ｘ７のそれぞれの前記第１接触信号ｔ１が発生される端子の他側の端子、またはタッチパネル２０の第２タッチパターンｙ１〜ｙ７のそれぞれの前記第２接触信号ｔ２が発生される端子の他側の端子に基準信号（例えば、パルス形状を有する基準クロック信号）を出力し、前記第１接触信号ｔ１または前記第２接触信号ｔ２を受信して接触位置の座標を計算したり、ゴーストパターンと実際接触位置を識別したりすることができる。
【００３３】
タッチパネル２０は、第１方向に配置される第１タッチパターンｘ１〜ｘ７及び第２方向に配置される第２タッチパターンｙ１〜ｙ７を備えて構成される。斜線にハッチングされた第１タッチパターンｘ１〜ｘ７と点にハッチングされた第２タッチパターンｙ１〜ｙ７は交差する部分が互いに絶縁されるように形成される。例えば、第１タッチパターンｘ１〜ｘ７はＩＴＯフィルムの前面に、第２タッチパターンｙ１〜ｙ７はＩＴＯフィルムの裏面に形成されるか、またはＩＴＯフィルムの片面に第１タッチパターンｘ１〜ｘ７及び第２タッチパターンｙ１〜ｙ７を配置し、第１タッチパターンｘ１〜ｘ７のそれぞれと第２タッチパターンｙ１〜ｙ７のそれぞれとの交差する部分は電気的に接続されないように形成するか、または第１タッチパターンｘ１〜ｘ７と第２タッチパターンｙ１〜ｙ７とをそれぞれ互いに異なるＩＴＯフィルムに形成するなど、多様な方法に形成することができる。
【００３４】
第１タッチパターンｘ１〜ｘ７では、第１方向（例えば、ｘ軸方向）の接触位置により第１接触信号ｔ１が発生される。すなわち、第１タッチパターンｘ１〜ｘ７のそれぞれは接触物体の接触可否により接触信号を発生し、第１タッチパターンｘ１〜ｘ７により発生した接触信号が前記第１接触信号ｔ１である。よって、タッチセンサ部１０は、第１タッチパターンｘ１〜ｘ７により発生する第１接触信号ｔ１を受信して第１方向の接触位置を検出する。
【００３５】
第１タッチパターンｘ１〜ｘ７のそれぞれにより発生される前記接触信号は、接触物体の接触可否によって異なる遅延値を有するパルス信号であるか、または接触物体の接触可否によって互いに異なるバイナリ(binary)値を有する1つのビットまたは接触物体の接触可否によって互いに異なる値を有する複数個のビットの信号とすることができる。例えば、上述のように、タッチセンサ部１０は第１タッチパターンｘ１〜ｘ７のそれぞれの1つの端子に基準信号を印加し、第１タッチパターンｘ１〜ｘ７により発生する接触信号を、前記第１接触信号ｔ１として入力されるように構成することができる。この場合、前記接触信号のそれぞれは、前記基準信号が所定時間遅延された信号とすることができ、該遅延時間は第１タッチパターンｘ１〜ｘ７のそれぞれの接触可否によって決定される。
【００３６】
第２タッチパターンｙ１〜ｙ７では、第２方向（例えば、ｙ軸方向）の接触位置により第２接触信号ｔ２が発生される。すなわち、第２タッチパターンｙ１〜ｙ７のそれぞれは第１タッチパターンｘ１〜ｘ７と同様に、接触物体の接触により接触信号を発生し、第２タッチパターンｙ１〜ｙ７により発生した接触信号が第２接触信号ｔ２である。よって、タッチセンサ部１０は、第２タッチパターンｙ１〜ｙ７により発生する第２接触信号ｔ２を入力して第２方向の接触位置を検出する。
【００３７】
また、図１に示すように、第１タッチパターンｘ１〜ｘ７のそれぞれは、第２方向（例えば、ｙ軸方向）に配置された複数個の第１タッチパッドＰＤ１と該複数個の第１タッチパッドＰＤ１のそれぞれを接続する第１接続パッドＣＰ１を備えて構成することができ、第２タッチパターンｙ１〜ｙ７のそれぞれは、第１方向（例えば、ｘ軸方向）に配置された複数個の第２タッチパッドＰＤ２と該複数個の第２タッチパッドＰＤ２のそれぞれを接続する第２接続パッドＣＰ２を備えて構成することができる。
【００３８】
また、図１では、第１タッチパッドＰＤ１及び第２タッチパッドＰＤ２のそれぞれが菱形状を有することを例示しているが、第１タッチパッドＰＤ１及び第２タッチパッドＰＤ２のそれぞれは、円または他の多角形状とすることができる。すなわち、第１タッチパッドＰＤ１及び第２タッチパッドＰＤ２のそれぞれは所定の形状を有する特定領域に均一に形成されたパッドとすることができる。
【００３９】
図２及び図３は、複数個の接触位置が検知された場合の実際接触位置とゴーストパターンの位置とをそれぞれ示す図である。
【００４０】
次に、図１ないし図３を参考して本発明のタッチセンサ部１０が接触位置を検出する方法及び接触位置が複数個の場合に実際接触位置の座標を検出する方法を説明する。
【００４１】
万一、図１のＡ地点に接触物体が接触されると、第１タッチパターンｘ１〜ｘ７のうちの第１タッチパターンｘ３から発生する接触信号だけをタッチした状態として示し、第２タッチパターンｙ１〜ｙ７のうちの第２タッチパターンｙ２から発生する接触信号だけをタッチした状態として示す。すなわち、第１接触信号ｔ１は第１タッチパターンｘ３に接触物体が接触されたことを示し、第２接触信号ｔ２は第２タッチパターンｙ２に接触物体が接触されたことを示す。
【００４２】
同様に、図１のＢ地点に接触物体が接触されると、第１接触信号ｔ１は第１タッチパターンｘ６に接触物体が接触されたことを示し、第２接触信号ｔ２は第２タッチパターンｙ２に接触物体が接触されたことを示す。また、図１のＣ地点に接触物体が接触されると、第１接触信号ｔ１は第１タッチパターンｘ３に接触物体が接触されたことを示し、第２接触信号ｔ２は第２タッチパターンｙ５に接触物体が接触されたことを示す。また、図１のＤ地点に接触物体が接触されると、第１接触信号ｔ１は第１タッチパターンｘ６に接触物体が接触されたことを示し、第２接触信号ｔ２は第２タッチパターンｙ５に接触物体が接触されたことを示す。
【００４３】
したがって、タッチセンサ部１０は前記第１接触信号ｔ１及び前記第２接触信号ｔ２を入力して接触位置を検出することができる。
【００４４】
ところが、図２または図３に示すように、接触位置が複数個の場合は問題が発生する。
【００４５】
例えば、図２に示すように、接触物体がＡとＤに同時接触された場合には、第１接触信号ｔ１は第１タッチパターンｘ３、ｘ６に接触物体が接触されたことを示し、第２接触信号ｔ２は第２タッチパターンｙ２、ｙ５に接触物体が接触されたことを示す。ところが、図３に示すように、接触物体がＢとＣに同時接触された場合にあっても第１接触信号ｔ１は第１タッチパターンｘ３、ｘ６に接触物体が接触されたことを示し、第２接触信号ｔ２は第２タッチパターンｙ２、ｙ５に接触物体が接触されたことを示す。
【００４６】
すなわち、第１接触信号ｔ１が第１タッチパターンｘ１〜ｘ７のうちの２つ以上の第１タッチパターン（例えば、ｘ３及びｘ６）に接触物体が接触されたことを示し、第２接触信号ｔ２が第２タッチパターンｙ１〜ｙ７のうちの２つ以上の第２タッチパターン（例えば、ｙ２及びｙ５）に接触物体が接触されたことを示す場合、ゴーストパターン（ghost pattern）が存在するので、実際に接触物体が接触した実際接触位置を判断することが困難となる。実際接触位置が図２に示すようにＡとＤである場合には図３のＢ、Ｃがゴーストパターン（ghost pattern）となり、実際接触位置が図３に示すＢとＣである場合には図２のＡ、Ｄがゴーストパターン（ghost pattern）となる。
【００４７】
接触位置が複数個である場合に、実際接触位置を判断する方法の一実施例としては、時間に従って順に検出された接触位置を保存して、先に検出した接触位置を用いて実際接触位置の座標を検出することである。
【００４８】
例えば、先にタッチパネル２０の1つの接触位置Ａに接触物体が接触されると、第１タッチパターンｘ１〜ｘ７を介して第１タッチパターンｘ３に接触物体が接触されたことを示す第１接触信号ｔ１が発生し、第２タッチパターンｙ１〜ｙ７を介して第２タッチパターンｙ２に接触物体が接触されたことを示す第２接触信号ｔ２が発生する。タッチセンサ部１０は前記第１接触信号ｔ１及び前記第２接触信号ｔ２を受信して接触位置Ａに接触物体が接触されたものと判断することができる。このとき、タッチセンサ部１０は第１接触信号ｔ１に対応する第１座標（例えば、第１タッチパターンｘ３のｘ軸方向の座標）及び第２接触信号ｔ２に対応する第２座標（例えば、第２タッチパターンｙ２のｙ軸方向の座標）を計算して保存する。
【００４９】
以後、所定時間が経過した後、タッチパネル２０の少なくとも２つ以上の接触位置（例えば、Ａ及びＤ）に接触されると、第１タッチパターンｘ１〜ｘ７を介して第１タッチパターンｘ３、ｘ６に接触物体が接触されたことを示す第１接触信号ｔ１が発生し、第２タッチパターンｙ１〜ｙ７を介して第２タッチパターンｙ２、ｙ５に接触物体が接触されたことを示す第２接触信号ｔ２が発生する。
【００５０】
タッチセンサ部１０は、第１接触信号ｔ１及び第２接触信号ｔ２を受信して既に保存されている第１座標及び第２座標と係わるゴーストパターンがあるか否かを判断し、ゴーストパターンがあれば既に保存されている第１座標及び第２座標を用いて実際接触位置を検出する。すなわち、タッチセンサ部１０は第１接触信号ｔ１に対応する第３座標（例えば、第１タッチパターンｘ３、ｘ６のそれぞれのｘ軸方向の位置に対応する座標）及び第２タッチ信号ｔ２に対応する第４座標（例えば、第２タッチパターンｙ２、ｙ５のそれぞれのｙ軸方向の位置に対応する座標）を発生する。前記第３座標（例えば、第１タッチパターンｘ３、ｘ６のそれぞれのｘ軸方向の位置に対応する座標）中の1つ（例えば、第１タッチパターンｘ３のｘ軸方向の位置に対応する座標）は前記第１座標（例えば、第１タッチパターンｘ３のｘ軸方向の座標）と同一であり、前記第３座標（例えば、第１タッチパターンｘ３、ｘ６のそれぞれのｘ軸方向の位置に対応する座標）のそれぞれは互いに異なり、前記第４座標（例えば、第２タッチパターンｙ２、ｙ５のそれぞれのｙ軸方向の位置に対応する座標）中の1つ（例えば、第２タッチパターンｙ２のｙ軸方向の位置に対応する座標）は前記第２座標（例えば、第２タッチパターンｙ２のｙ軸方向の位置に対応する座標）と同一であり、前記第４座標（例えば、第２タッチパターンｙ２、ｙ５のそれぞれのｙ軸方向の位置に対応する座標）のそれぞれは互いに異なると、既に保存されている第１座標及び第２座標と係るゴーストパターンがあるものと判断することができる。
【００５１】
したがって、この場合にタッチセンサ部１０は、先に保存された第１座標（例えば、第１タッチパターンｘ３のｘ軸方向の座標）及び第２座標（例えば、第２タッチパターンｙ２のｙ軸方向の位置に対応する座標）を用いて実際接触位置を検出する。すなわち、タッチセンサ部１０は先に保存された第１座標（例えば、第１タッチパターンｘ３のｘ軸方向の座標）及び第２座標（例えば、第２タッチパターンｙ２のｙ軸方向の位置に対応する座標）を用いて以前に接触物体がＡに接触されたものと認知しているので、図２に示すように接触物体がＡとＤに接触されたものと判断することができる。すなわち、タッチセンサ部１０は、接触物体が実際に接触した位置がＡとＤであることを検出することができる。
【００５２】
万一、先に第１タッチパターンｘ３に接触物体が接触されたことを示す第１タッチ信号ｔ１及び第２タッチパターンｙ５に接触物体が接触されたことを示す第２タッチ信号ｔ２が発生してタッチセンサ部１０に受信されたとしたら、タッチセンサ部１０は上記方法を用いてＣに接触物体が接触されたものと判断することができる。以後に所定時間が経過した後、第１タッチパターンｘ３、ｘ６に接触物体が接触されたことを示す第１タッチ信号ｔ１及び第２タッチパターンｙ２、ｙ５に接触物体が接触されたことを示す第２タッチ信号ｔ２が入力されたら、タッチセンサ部１０は上記方法と類似の方法を介して先に保存された第１座標及び第２座標と係わるゴーストパターンが存在するか否かを判断し、以前に接触物体がＣに接触されたことを利用して図３に示すように接触物体がＢとＣに接触されたものと判断することができる。すなわち、タッチセンサ部１０は、接触物体の実際に接触した位置がＢとＣであることを検出することができる。
【００５３】
接触物体が２つ以上の接触位置に接触され、前記２つ以上の接触の間に時間差がある場合には（すなわち、２つ以上の接触の間の時間差が所定の基準値よりも大きい場合には）上記実施例の方法によりゴーストパターンと実際接触位置を識別することができるが、前記２つ以上の接触の間の時間差を識別することができない場合には上記実施例の方法ではゴーストパターンと実際接触位置を識別することができない。
【００５４】
接触位置が複数個の場合、実際接触位置を判断する方法の他の実施例は、接触されたタッチパターンに対し、接触位置に応じて可変する前記タッチパターンのインピーダンスを測定して実際接触位置の座標を検出する。後述する他の実施例によれば、２つ以上の接触の間の時間差を識別することができない場合でもゴーストパターンと実際接触位置を識別することができる。
【００５５】
例えば、第１タッチパターンｘ３、ｘ６に接触物体が接触されたことを示す第１タッチ信号ｔ１及び第２タッチパターンｙ２、ｙ５に接触物体が接触されたことを示す第２タッチ信号ｔ２が入力されたら、タッチセンサ部１０は接触物体が接触したタッチパターンｘ３、ｘ６、ｙ２、ｙ５のうちの少なくとも1つに対してタッチ信号が出力される測定端子から接触位置までの抵抗値を用いて実際接触位置を検出することができる。すなわち、もしも第２タッチパターンｙ２から接触位置までの抵抗値を測定してその測定した抵抗値に対応する接触位置がＡであると示したら、タッチセンサ部１０は実際接触位置の座標が図２に示すようにＡとＤであることがわかる。測定された抵抗値に対応する接触位置がＢであると示したらタッチセンサ部１０は実際接触位置の座標が図３に示すようにＢとＣであることがわかる。
【００５６】
他の例として、接触位置Ａ及びＤに接触物体が接触したら、タッチパターンｙ２及びｘ３の間のインピーダンスは相対的に小さい値を有することで、接触された第２タッチパターンのうちの1つである第２タッチパターン（例えば、ｙ２）にパルス信号を印加し、接触された第１タッチパターン（例えば、ｘ３及びｘ６）に順にパルス信号が出力されるか否かを判断することで、実際接触位置の座標を検出することもできる。
【００５７】
他の例として、第１タッチパターンｘ３、ｘ６に接触物体が接触されたことを示す第１タッチ信号ｔ１及び第２タッチパターンｙ２、ｙ５に接触物体が接触されたことを示す第２タッチ信号ｔ２が入力されると、タッチセンサ部１０は接触物体が接触したタッチパターンｘ３、ｘ６、ｙ２、ｙ５のうちの少なくとも1つに対してキャパシタンス値を用いて実際接触位置を検出することができる。
【００５８】
図４は、接触物体が接触したタッチパターンのうちの少なくとも1つに対してタッチ信号が出力される測定端子から接触位置までの抵抗値を利用して実際接触位置を検出する入力装置の実施例の構成を示す図であって、接触物体が接触したタッチパターンｘ３、ｘ６、ｙ２、ｙ５のうちの第２タッチパターンｙ２の抵抗値を測定する場合を示す図である。この場合、入力装置のタッチセンサ１０は基準信号発生部１１及び接触位置検出部１２を備えて構成されることができる。
【００５９】
次に、図４に示すブロックのそれぞれの機能を説明する。
基準信号発生部１１は、第２タッチパターンｙ２の接触信号が発生する端子の他側の端子及び接触位置検出部１２に基準クロック信号ｃｌｋ＿ｒを出力する。
【００６０】
接触位置検出部１２は、遅延クロック信号ｃｌｋ＿ｄを接触信号に入力し、該遅延クロック信号ｃｌｋ＿ｄと基準クロック信号ｃｌｋ＿ｒとの遅延時間差を検出して接触物体がＡに接触されているのかＢに接触されているのかを判断する。
【００６１】
すなわち、第２タッチパターンｙ２で、遅延クロック信号ｃｌｋ＿ｄの遅延時間は、基準クロック信号ｃｌｋ＿ｒが印加される端子と接触物体が接触した位置ＡまたはＢとの間の抵抗値により決定され、基準クロック信号ｃｌｋ＿ｒが印加される端子と接触物体が接触した位置ＡまたはＢとの間の抵抗値は基準クロック信号ｃｌｋ＿ｒが印加される端子と接触物体が接触した位置ＡまたはＢとの間の距離ｄ＿Ａまたはｄ＿Ｂに比例する。よって、遅延クロック信号ｃｌｋ＿ｄの遅延時間も基準クロック信号ｃｌｋ＿ｒが印加される端子と接触物体が接触した位置ＡまたはＢとの間の距離ｄ＿Ａまたはｄ＿Ｂに比例する。したがって、基準クロック信号ｃｌｋ＿ｒと遅延クロック信号ｃｌｋ＿ｄの遅延時間差を検出すると接触物体が接触した位置を判断することができるので、ゴーストパターンと実際接触位置を識別することができる。すなわち、タッチパターンｘ３、ｘ６、ｙ２、ｙ５が接触されていると判断され、検出された遅延時間差によって接触物体が接触した位置がＡの場合には、実際接触位置がＡ及びＤであることがわかって、タッチパターンｘ３、ｘ６、ｙ２、ｙ５が接触されていると判断され、検出した遅延時間差によって接触物体が接触した位置がＢの場合には、実際接触位置はＢ及びＣであることがわかる。
【００６２】
図４に示すタッチセンサ１０は、タッチパターンの接触可否を判断するためにも用いられる。例えば、タッチセンサ１０はタッチパターンｘ１〜ｘ７、及びｙ１〜ｙ７のそれぞれに対し前記遅延時間差を測定してタッチパターンｘ１〜ｘ７、及びｙ１〜ｙ７のそれぞれの接触可否を判断するとともに前記遅延時間差を保存する。以後、ゴーストパターンが存在し、ゴーストパターンと実際パターンとを識別する必要がある場合に、タッチセンサ１０は保存された前記遅延時間差を用いて上述の方法を用いて実際接触位置を把握することができる。
【００６３】
図５は、接触物体が接触したタッチパターンのうちの少なくとも1つに対しキャパシタンス値を用いて実際接触位置を検出する入力装置の実施例の構成を示す図であって、接触物体が接触されたタッチパターンｘ３、ｘ６、ｙ２、ｙ５のうちの第２タッチパターンｙ２のキャパシタンス値を測定する場合を示す図である。この場合、入力装置のタッチセンサ１０は、第１パルス発生部１３、第２パルス発生部１４、及び接触位置検出部１５を備えて構成される。
【００６４】
次に、図５に示すブロックのそれぞれの機能を説明する。
第１パルス発生部１３は、第２タッチパターンｙ２の接触信号が発生される端子と接続されているノードｎ１に第１クロック信号ｃｌｋ１を出力し、接触位置検出部１５に基準クロック信号ｃｌｋ＿ｒを出力する。第１クロック信号ｃｌｋ１はポジティブ電圧を有するパルス状の信号とすることができる。
【００６５】
第２パルス発生部１４は、第１タッチパターンｘ３、ｘ６のそれぞれに順に第２クロック信号ｃｌｋ２を出力する。第２クロック信号ｃｌｋ２はネガティブ電圧を有するパルス状の電圧とすることができる。
【００６６】
接触位置検出部１５は、基準クロック信号ｃｌｋ＿ｒとノードｎ１を介して入力される第１クロック信号ｃｌｋ１との遅延時間差を検出して実際接触位置を判断する。
【００６７】
すなわち、先に第２パルス発生部１４が第１タッチパターンｘ３に第２クロック信号ｃｌｋ２を印加し、接触位置検出部１５が前記遅延時間差を検出する。このときの遅延時間差を第１遅延時間差とする。次に、第２パルス発生部１４が第２タッチパターンｘ６に第２クロック信号ｃｌｋ２を印加し、接触位置検出部１５が前記遅延時間差を検出する。このときの遅延時間差を第２遅延時間差とする。接触物体が接触した位置がＡなのかＢなのかによって前記第１遅延時間差と前記第２遅延時間差とは異なってくる。したがって、前記第１遅延時間差と前記第２遅延時間差を用いて接触物体が接触した位置を判断することができる。例えば、前記第１遅延時間差が前記第２遅延時間差よりも小さければ接触物体の接触位置をＡと判断し、そうではなければ接触物体の接触位置をＢと判断することができる。よって、タッチパターンｘ３、ｘ６、ｙ２、ｙ５が接触されたものと判断され、接触物体が接触した位置がＡの場合には、実際接触位置はＡ及びＤであることがわかり、タッチパターンｘ３、ｘ６、ｙ２、ｙ５が接触されたものと判断され、接触物体が接触した位置がＢの場合には、実際接触位置はＢ及びＣであることがわかる。
【００６８】
図６は、本発明の入力装置の接触位置検出方法を説明するためのフローチャートを示す図である。
【００６９】
次に、図６を参考して本発明の入力装置の接触位置検出方法を説明する。
まず、タッチセンサ部１０は、タッチパネル２０領域のうちのマルチタッチを検知する必要がある識別領域、すなわち、ゴーストパターンと実際接触位置とを識別する必要がある識別領域を設定する（Ｓ１００段階）。
【００７０】
図７を例として説明すると、タッチパターン２０は、第１領域２０−１と第２領域２０−２とに区分することができる。第１領域２０−１は、接触位置の変化に応じて画面上に表示される映像を移動させたり、映像を拡大させたり、または回転させる動作などを行うために接触位置を検知する領域であり、第２領域２０−２は、画面上に表示されるアイコン２１のうちの1つを選択し、選択されたアイコン２１に対応する機能を行う領域とすることができる。第２領域２０−２の場合は、マルチタッチを検知する必要のない領域とすることができ、第１領域２０−１は、前記識別領域、すなわち、ゴーストパターンと実際接触位置とを識別する必要がある領域とすることができる。よって、本発明の入力装置は、第１領域２０−１を識別領域として設定し、識別領域内において複数個の接触位置が検知された場合だけゴーストパターンと実際接触位置とを識別するように構成することができる。他の例として、テーブルコンピュータ(table computer)の場合、１人の作業者が作業することになる領域などが前記識別領域に設定されることができる。
【００７１】
次に、タッチセンサ部１０は、時間に従って第１タッチ信号ｔ１に対応する第１座標及び第２タッチ信号ｔ２に対応する第２座標を計算して保存する（Ｓ１１０段階）。
【００７２】
次に、タッチセンサ部１０は、接触物体が複数個の接触位置に接触される場合に各接触位置に接触物体が接触する時間差が所定の基準値以上であるか否かを判断する。すなわち、タッチパネル２０の1つの接触位置に接触物体が接触して所定時間後にタッチパネル２０の少なくとも２つ以上の接触位置に接触物体が接触するか否かを判断する（Ｓ１２０段階）。
【００７３】
Ｓ１２０段階において判断することは、接触位置が複数個の場合に複数個の接触位置間の時間差を検出することができるか否かを判断することである。よって、前記基準値は相対的な値とすることができる。例えば、入力装置または該入力装置を含むシステムがノーマル動作を行う場合には前記基準値は最も小さい値とすることができ、入力装置または該入力装置を含むシステムが待機状態(standby)である場合には相対的に大きい値を有することができる。待機状態(standby)である場合には消耗電力を低減するために接触を検知する速度を低くさせる場合が多いからである。または、ボタンなどの操作を介してワークアップ(wake up)動作を行う場合に、複数個の接触位置に接触物体が接触された状態でボタンなどの操作が行われる場合においても接触位置間の時間差を検出することができない。
【００７４】
Ｓ１２０段階で判断した結果、時間差が所定の基準値以上である場合、すなわち、タッチパネル２０の複数個の接触位置のうちの1つの接触位置に接触物体が接触され、所定時間が経過した後にタッチパネル２０の複数個の接触位置に接触物体が接触されたら、前記複数個の接触位置のうちの1つの接触位置を用いて実際接触位置の座標を検出する（Ｓ１３０段階）。詳細な過程は上述したため、ここでは省略する。
【００７５】
次に、さらにゴーストパターンと実際接触位置とを識別する必要があるか否かを判断する（Ｓ１４０段階）。例えば、画面を回転させる応用において、回転角が０度（すなわち、回転軸の方向がｘ軸方向と同一場合）または９０度（すなわち、回転軸の方向がｙ軸方向と同一場合）に到達した場合、ゴーストパターンと実際接触位置とを識別する必要があるものと判断される。
【００７６】
図８を参考しながら説明すると、まず、Ｂ１とＣ１が実際接触位置として判断された場合、以後の接触位置の回転角（Ｂ１とＣ１を連結する線とｘ軸との間の角）が９０度になる前に実際接触位置は第１四分面Iと第３四分面IIIと判断することができる。しかし、回転角が９０度に到達した後には実際接触位置が第２四分面IIと第４四分面IVに位置するか、第１四分面Iと第３四分面IIIに位置するかが判断しにくい。すなわち、回転角が９０度に到達した後にも回転する場合、ａ方向に回転したか、ｂ方向に回転したかを判断しにくい。回転角が０度に到逹した場合も上記と同様である。よって、回転角が０度または９０度に到逹すると、なおさらゴーストパターンと実際接触位置とを識別する必要があるものと判断される。
【００７７】
Ｓ１２０段階で判断した結果、時間差が所定の基準値以下である場合、すなわち、タッチパネル２０の複数個の接触位置のうちの1つの接触位置に接触物体が接触され、所定の時間が経過する前にタッチパネル２０の複数個の接触位置に接触物体が接触された場合、または、複数個の接触位置に同時に接触された場合など、複数個の接触位置の間の時間差を識別することができない場合、または、Ｓ１４０段階で判断した結果、さらにゴーストパターンと実際接触位置とを識別する必要があると判断した場合には、接触したタッチパターンに対し接触位置に応じて可変する前記タッチパターンのインピーダンスを用いて実際接触位置の座標を検出する（Ｓ１５０段階）。
【００７８】
本発明による入力装置の接触位置検出方法は、図６に示すすべての段階を実施する必要はなく、必要に応じて一部の段階だけを実施することもできる。例えば、時間に従って順に検出された接触位置を保存し、先に検出された接触位置を用いて実際接触位置の座標を検出する方法（Ｓ１１０段階及びＳ１３０段階）または接触位置に応じて可変するインピーダンスを用いて実際接触位置を検出する方法（Ｓ１５０段階）のうちの1つだけを用いるか、または２つの方法を同時に用いて構成することもできる。
【００７９】
また、図示してないが、応用プログラムによって図６に示す段階のうちの一部の段階を実施するか、またはすべての段階を実施するように構成することもできる。例えば、接触位置間の距離に応じてズームイン(zoom in)またはズームアウト(zoom out)動作を行う場合には、ゴーストパターンと実際接触位置とを区別する必要がないため、図６に示す段階を実施しなくても好ましいが、接触位置の回転角に応じて、表示された情報を回転させるなどの動作を行う場合にはゴーストパターンと実際接触位置とを区別する必要がある。よって、応用プログラムが表示された情報を回転させる動作を行う場合に、図６に示す段階のうちの一部の段階、またはすべての段階を実施するように構成することができる。
【００８０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８１】
１０    タッチセンサ部
１１    基準信号発生部
１２    接触位置検出部
１３    第１パルス発生部
１４    第２パルス発生部
１５    接触位置検出部
２０    タッチパネル
２０−１    第１領域
２０−２    第２領域
２１    アイコン
ｘ１〜ｘ７    第１タッチパターン
ｙ１〜ｙ７    第２タッチパターン
ｔ１    第１接触信号
ｔ２    第２接触信号
ＰＤ１    第１タッチパッド
ＰＤ２    第２タッチパッド
ＣＰ１    第１接続パッド
ＣＰ２    第２接続パッド
ｃｌｋ＿ｒ    基準クロック信号
ｃｌｋ＿ｄ    遅延クロック信号
ｃｌｋ１    第１クロック信号
ｃｌｋ２    第２クロック信号
【図１】
2013502660.tif 000003
【図２】
2013502660.tif 000004
【図３】
2013502660.tif 000005
【図４】
2013502660.tif 000006
【図５】
2013502660.tif 000007
【図６】
2013502660.tif 000008
【図７】
2013502660.tif 000009
【図８】
2013502660.tif 000010
【国際調査報告】
2013502660.tif 000011
2013502660.tif 000012
2013502660.tif 000013
2013502660.tif 000014